(57)【要約】【課題】一部のページを優先して印刷した後にその他のページを印刷した場合に、本来のページ順に並んだ印刷物を得るためのユーザの手間を軽減する。【解決手段】印刷制御装置１は、複数のページを含む原稿データにおいて優先して印刷する優先印刷ページを示す設定情報と原稿データとを含む印刷データを印刷装置２に送信し、印刷装置２の画像処理部２０２は、設定情報に基づいて、優先印刷ページを優先的に印刷するために印刷のページ順を組み換え、印刷制御部２０３は、画像処理部２０２で組み換えられたページ順に基づいて印刷データを印刷部２２にて印刷するように制御するとともに、排出された印刷物が、ページ順の組み換え前における優先印刷ページに該優先印刷ページが存在することを識別できる出力態様になるように、印刷部２２および排出部２４のうちの少なくともいずれか一方を制御する。【選択図】図１
2011180808.tif 000002
【特許請求の範囲】
【請求項１】
印刷装置と、前記印刷装置の印刷を制御する印刷制御装置とを備える印刷システムであって、
前記印刷制御装置は、
複数のページを含む原稿データにおいて優先して印刷する優先印刷ページを指定する指定手段と、
前記原稿データと、前記優先印刷ページを示す設定情報とを含む印刷データを生成する印刷データ生成手段と、
前記印刷データを前記印刷装置に送信する通信手段と
を備え、
前記印刷装置は、
前記設定情報に基づいて、前記優先印刷ページを優先的に印刷するために印刷のページ順を組み換える画像処理手段と、
印刷データに基づいた印刷を行う印刷手段と、
前記印刷手段により印刷された印刷物を排出する排出手段と、
前記画像処理手段にて組み換えられたページ順に基づいて印刷データを前記印刷手段にて印刷するように制御するとともに、排出された印刷物が、ページ順の組み換え前における前記優先印刷ページに該優先印刷ページが存在することを識別できる出力態様になるように、前記印刷手段および前記排出手段のうちの少なくともいずれか一方を制御する印刷制御手段と
を備えることを特徴とする印刷システム。
【請求項２】
前記印刷制御手段は、ページ順の組み換え前における前記優先印刷ページのページ位置を示す合紙を挿入するように前記印刷手段および前記排出手段を制御することを特徴とする請求項１に記載の印刷システム。
【請求項３】
前記印刷制御手段は、前記合紙に前記優先印刷ページに関する情報を印刷するように前記印刷手段を制御することを特徴とする請求項２に記載の印刷システム。
【請求項４】
前記印刷制御手段は、前記印刷装置における用紙残量を示す情報を用いて、ページ順の組み換え前における前記優先印刷ページのページ位置を示す合紙を挿入するように前記印刷手段および前記排出手段を制御する合紙挿入制御、および、ページ順の組み換え前における前記優先印刷ページのページ位置に応じて印刷物の排紙位置をずらすように前記排出手段を制御するオフセット排紙制御のうちのいずれかを選択して実行することを特徴とする請求項１に記載の印刷システム。
【請求項５】
印刷データに基づいた印刷を行う印刷手段と、
前記印刷手段により印刷された印刷物を排出する排出手段と、
複数のページを含む印刷データにおいて優先して印刷する優先印刷ページを指定する指定手段と、
前記指定手段で指定された前記優先印刷ページを優先的に印刷するために印刷のページ順を組み換える画像処理手段と、
前記画像処理手段にて組み換えられたページ順に基づいて印刷データを前記印刷手段にて印刷するように制御するとともに、排出された印刷物が、ページ順の組み換え前における前記優先印刷ページに該優先印刷ページが存在することを識別できる出力態様になるように、前記印刷手段および前記排出手段のうちの少なくともいずれか一方を制御する印刷制御手段と
を備えることを特徴とする印刷装置。
【発明の詳細な説明】
【技術分野】
【０００１】
本発明は、印刷を行う印刷システムおよび印刷装置に関する。
【背景技術】
【０００２】
複数ページの原稿を印刷装置で印刷する際に、ユーザは、原稿中の一部のページの印刷物を他のページより先に取得したい場合がある。
【０００３】
このような場合、例えば、ページ指定を行って目的のページを印刷した後、他のページを指定して印刷すれば、目的のページの印刷物を先に得ることができる。また、重要なページから優先して印刷するためにページ順の変更を行う技術も知られている（例えば、特許文献１参照）。
【先行技術文献】
【特許文献】
【０００４】
【特許文献１】特開平１１−２５２２９６号公報
【発明の概要】
【発明が解決しようとする課題】
【０００５】
多ページの原稿を多部数印刷する場合などでは、すべての印刷が完了するまでには長時間を要するが、上述のように目的のページを優先して印刷すれば、全体の印刷の完了を待つ間に、すでに出力された目的のページの印刷物を利用でき効率的である。
【０００６】
このような印刷物の利用の仕方をする場合において、全体の印刷が完了した後で、本来のページ順に並んだ印刷物を得るためには、ユーザは、優先して印刷したページの印刷物を本来のページ位置に挿入する作業を行う必要がある。
【０００７】
しかしながら、多ページの印刷物から、優先印刷ページの本来のページ位置を探すことはユーザにとって容易でなく、本来のページ順に並んだ印刷物を得るための作業は煩雑であった。
【０００８】
本発明は上記に鑑みてなされたもので、一部のページを優先して印刷した後にその他のページを印刷した場合に、本来のページ順に並んだ印刷物を得るためのユーザの手間を軽減することができる印刷システムおよび印刷装置を提供することを目的とする。
【課題を解決するための手段】
【０００９】
上記目的を達成するため、本発明に係る印刷システムの第１の特徴は、印刷装置と、前記印刷装置の印刷を制御する印刷制御装置とを備える印刷システムであって、前記印刷制御装置は、複数のページを含む原稿データにおいて優先して印刷する優先印刷ページを指定する指定手段と、前記原稿データと、前記優先印刷ページを示す設定情報とを含む印刷データを生成する印刷データ生成手段と、前記印刷データを前記印刷装置に送信する通信手段とを備え、前記印刷装置は、前記設定情報に基づいて、前記優先印刷ページを優先的に印刷するために印刷のページ順を組み換える画像処理手段と、印刷データに基づいた印刷を行う印刷手段と、前記印刷手段により印刷された印刷物を排出する排出手段と、前記画像処理手段にて組み換えられたページ順に基づいて印刷データを前記印刷手段にて印刷するように制御するとともに、排出された印刷物が、ページ順の組み換え前における前記優先印刷ページに該優先印刷ページが存在することを識別できる出力態様になるように、前記印刷手段および前記排出手段のうちの少なくともいずれか一方を制御する印刷制御手段とを備えることにある。
【００１０】
本発明に係る印刷システムの第２の特徴は、前記印刷制御手段は、ページ順の組み換え前における前記優先印刷ページのページ位置を示す合紙を挿入するように前記印刷手段および前記排出手段を制御することにある。
【００１１】
本発明に係る印刷システムの第３の特徴は、前記印刷制御手段は、前記合紙に前記優先印刷ページに関する情報を印刷するように前記印刷手段を制御することにある。
【００１２】
本発明に係る印刷システムの第４の特徴は、前記印刷制御手段は、前記印刷装置における用紙残量を示す情報を用いて、ページ順の組み換え前における前記優先印刷ページのページ位置を示す合紙を挿入するように前記印刷手段および前記排出手段を制御する合紙挿入制御、および、ページ順の組み換え前における前記優先印刷ページのページ位置に応じて印刷物の排紙位置をずらすように前記排出手段を制御するオフセット排紙制御のうちのいずれかを選択して実行することにある。
【００１３】
本発明に係る印刷装置の特徴は、印刷データに基づいた印刷を行う印刷手段と、前記印刷手段により印刷された印刷物を排出する排出手段と、複数のページを含む印刷データにおいて優先して印刷する優先印刷ページを指定する指定手段と、前記指定手段で指定された前記優先印刷ページを優先的に印刷するために印刷のページ順を組み換える画像処理手段と、前記画像処理手段にて組み換えられたページ順に基づいて印刷データを前記印刷手段にて印刷するように制御するとともに、排出された印刷物が、ページ順の組み換え前における前記優先印刷ページに該優先印刷ページが存在することを識別できる出力態様になるように、前記印刷手段および前記排出手段のうちの少なくともいずれか一方を制御する印刷制御手段とを備えることにある。
【００１４】
本発明に係る印刷装置の特徴において、前記印刷制御手段は、前記印刷装置における用紙残量を示す情報を用いて、ページ順の組み換え前における前記優先印刷ページのページ位置を示す合紙を挿入するように前記印刷手段および前記排出手段を制御する合紙挿入制御、および、ページ順の組み換え前における前記優先印刷ページのページ位置に応じて印刷物の排紙位置をずらすように前記排出手段を制御するオフセット排紙制御のうちのいずれかを選択して実行するようにしてもよい。
【発明の効果】
【００１５】
本発明に係る印刷システムの第１の特徴によれば、指定された優先印刷ページを優先的に印刷するために印刷のページ順を組み換え、組み換えられたページ順に基づいて印刷を行うとともに、排出された印刷物が、ページ順の組み換え前における優先印刷ページに該優先印刷ページが存在することを識別できる出力態様になるようにするので、本来の優先印刷ページのページ位置をユーザに容易に把握させ、本来のページ順に並んだ印刷物を得るためのユーザの手間を軽減することができる。
【００１６】
本発明に係る印刷システムの第２の特徴によれば、ページ順の組み換え前における優先印刷ページのページ位置を示す合紙を挿入するので、ユーザに本来の優先印刷ページのページ位置をより容易に把握させることができる。
【００１７】
本発明に係る印刷システムの第３の特徴によれば、合紙に優先印刷ページに関する情報を印刷するので、合紙に対応する優先印刷ページをユーザに容易に把握させることができ、ユーザの利便性を向上することができる。
【００１８】
本発明に係る印刷システムの第４の特徴によれば、優先印刷の際に、印刷装置における用紙残量を示す情報を用いて、合紙挿入制御およびオフセット排紙制御のうちのいずれかを選択して実行することで、用紙切れの発生を抑制することができる。
【００１９】
本発明に係る印刷装置の特徴によれば、指定された優先印刷ページを優先的に印刷するために印刷のページ順を組み換え、組み換えられたページ順に基づいて印刷を行うとともに、排出された印刷物が、ページ順の組み換え前における優先印刷ページに該優先印刷ページが存在することを識別できる出力態様になるようにするので、本来の優先印刷ページのページ位置をユーザに容易に把握させ、本来のページ順に並んだ印刷物を得るためのユーザの手間を軽減することができる。
【図面の簡単な説明】
【００２０】
【図１】本発明の実施の形態に係る印刷システムの構成を示すブロック図である。
【図２】図１に示す印刷システムの動作を示すフローチャートである。
【図３】優先印刷において印刷するページ順の一例を示す図である。
【発明を実施するための形態】
【００２１】
以下、本発明の実施の形態について、図面を参照して説明する。
【００２２】
図１は、本発明の実施の形態に係る印刷システムの構成を示すブロック図である。図１に示すように本実施の形態に係る印刷システムは、印刷制御装置１と、印刷装置２とを備える。印刷制御装置１と印刷装置２との接続形態は、代表的には、複数の印刷制御装置１が印刷装置２を共用するＬＡＮ（Local Area Network）接続とすることができるが、印刷制御装置１と印刷装置２とが１対１で接続されたローカル接続であってもよい。
【００２３】
印刷装置２は、印刷制御装置１から送られた印刷データに基づく印刷を行うプリンタ機能と、原稿の画像を読み取って複写印刷を行うコピー機能とを備えている。
【００２４】
印刷制御装置１は、パーソナルコンピュータ（ＰＣ）等のＣＰＵを有する情報処理装置から構成され、印刷装置２に対応して開発されたプリンタドライバプログラムがインストールされている。このプリンタドライバプログラムをＣＰＵが実行することにより、プリンタドライバ部１０が形成される。
【００２５】
プリンタドライバ部１０は、印刷条件設定部１０１と、印刷データ生成部１０２と、表示制御部１０３とを備える。
【００２６】
印刷条件設定部１０１は、印刷装置２のプリンタ機能により印刷を行う際のユーザ操作による印刷条件の設定を受け付けるものであり、印刷部数、出力用紙サイズ、印刷濃度等の各種設定項目の設定を受け付ける。
【００２７】
印刷データ生成部１０２は、図示しないアプリケーションプログラム等で作成された印刷対象の原稿データと、印刷条件設定部１０１で受け付けた各種設定項目の設定内容を示す設定情報とを含む印刷データを生成する。
【００２８】
本実施の形態に係る印刷システムは、優先印刷機能を有している。この優先印刷機能は、複数のページを含む原稿データにおいて、ユーザが指定した優先印刷ページをその他のページに対して優先的に印刷する機能である。プリンタ機能により印刷を行う際に優先印刷ページが指定された場合、印刷データ生成部１０２は、優先印刷ページを示す情報を設定情報に含む印刷データを生成する。
【００２９】
表示制御部１０３は、表示部１１の表示制御を行う。
【００３０】
また、印刷制御装置１は、液晶ディスプレイ等からなり、各種の画面等を表示する表示部１１と、キーボードやマウス等からなり、ユーザの操作を受け付ける操作入力部１２と、印刷装置２に接続するための通信部１３とを備える。操作入力部１２は、プリンタ機能により印刷を行う際にユーザ操作に応じて優先印刷ページを指定する指定手段としての機能を有する。
【００３１】
印刷装置２は、ＣＰＵ、メモリ、画像処理装置等から構成される制御部２０を備え、ＣＰＵがメモリに格納されたプログラムに応じた処理を行うこと等により、印刷条件設定部２０１、画像処理部２０２、印刷制御部２０３が形成される。
【００３２】
印刷条件設定部２０１は、印刷装置２のコピー機能により印刷を行う際のユーザ操作による印刷条件の設定を受け付けるものであり、印刷部数、出力用紙サイズ、印刷濃度等の各種設定項目の設定を受け付ける。また、印刷条件設定部２０１は、ユーザ操作に応じて、コピー機能により印刷を行う際に優先印刷を行うことの設定、および優先印刷ページの指定を受け付ける。
【００３３】
画像処理部２０２は、プリンタ機能により印刷を行う場合、印刷制御装置１から取得した原稿データの画像展開、色変換処理、スクリーニング処理等の画像処理を行う。コピー機能により印刷を行う場合、画像処理部２０２は、後述の原稿読取部２１で原稿を読み取って得られた原稿データに色変換処理、スクリーニング処理等の画像処理を行う。
【００３４】
また、優先印刷ページが指定された場合、画像処理部２０２は、優先印刷ページが優先的に印刷されるように原稿データにおけるページ順を組み換える処理を行う。
【００３５】
印刷制御部２０３は、後述の印刷部２２、給紙部２３、および排出部２４を駆動して用紙の供給、印刷、排紙の動作を制御する。
【００３６】
また、印刷装置２は、ＣＣＤ（Charge Coupled Device）イメージセンサを有し、原稿を光学的に読み取る原稿読取部２１と、インクジェット方式等の印刷機構を有し、用紙に印刷を行う印刷部２２と、給紙台に積載された用紙を印刷部２２に供給する給紙部２３と、印刷部２２で印刷された用紙を排紙台上に排出する排出部２４と、ユーザの操作を受け付ける操作パネル部２５と、印刷制御装置１に接続するための通信部２６とを備える。
【００３７】
操作パネル部２５は、各種操作キーとタッチパネル（いずれも図示せず）とを有し、ユーザの操作を受け付け、ユーザ操作に基づく操作信号を制御部２０に出力する。ユーザは、タッチパネルの表面を指などで直接触れることで入力操作を行うことができる。操作パネル部２５は、プリンタ機能により印刷を行う際にユーザ操作に応じて優先印刷ページを指定する指定手段としての機能を有する。
【００３８】
次に、本実施の形態における印刷システムの動作について説明する。
【００３９】
印刷装置２のプリンタ機能により印刷を行う場合、ユーザは、印刷制御装置１においてプリンタドライバ部１０により表示部１１に表示される印刷条件設定画面上で、印刷部数、出力用紙サイズ等の各種設定項目について設定を行うことができる。また、優先印刷を行うか否かの設定、および優先印刷を行う場合における優先印刷ページの指定を行うことができる。
【００４０】
図２は、プリンタ機能により印刷を行う際の印刷システムの動作フローチャートである。まず、図２のステップＳ１０において、印刷制御装置１の印刷条件設定部１０１は、ユーザの操作入力部１２の操作による印刷条件の設定を受け付ける。
【００４１】
次いで、ステップＳ２０において、印刷データ生成部１０２は、印刷対象の原稿データと、ユーザ操作に応じた設定内容を示す設定情報とを含む印刷データを生成する。優先印刷を行う設定および優先印刷ページの指定がされている場合、優先印刷ページを示す情報が設定情報に含まれる。
【００４２】
次いで、ステップＳ３０において、印刷データ生成部１０２は、ステップＳ２０で生成した印刷データを、通信部１３を介して印刷装置２に送信する。
【００４３】
次いで、ステップＳ４０において、印刷装置２の画像処理部２０２は、通信部２６を介して印刷制御装置１から印刷データを受信すると、原稿データの画像展開、色変換処理、スクリーニング処理等の画像処理を行う。
【００４４】
ステップＳ５０では、画像処理部２０２は、印刷データの設定情報に基づいて、優先印刷が設定されているか否かを判断する。優先印刷が設定されている場合（ステップＳ５０：ＹＥＳ）、ステップＳ６０に進み、優先印刷が設定されていない場合（ステップＳ５０：ＮＯ）、ステップＳ７０に進む。
【００４５】
ステップＳ６０では、画像処理部２０２は、指定された優先印刷ページが優先的に印刷されるように原稿データにおけるページ順を組み換える処理を行う。例えば５ページからなる原稿データにおいて４ページ目が優先印刷ページとして指定された場合、画像処理部２０２は、４→１→２→３→５というページ順に組み換える。
【００４６】
そして、ステップＳ７０において、印刷制御部２０３は、給紙部２３から印刷部２２に用紙を供給して印刷部２２で印刷を行い、印刷された用紙を排出部２４により排紙台に排出して積載するよう制御する。
【００４７】
優先印刷が設定されている場合、印刷制御部２０３は、ステップＳ６０で組み換えられたページ順で印刷を行うよう印刷部２２を制御する。この際、印刷制御部２０３は、ページ順の組み換え前における優先印刷ページのページ位置（優先印刷ページの本来のページの位置）において、給紙部２３から給紙した用紙に印刷部２２では印刷せずに排出部２４で排出するように制御することで、この用紙を優先印刷ページのページ位置を示す合紙として挿入する。
【００４８】
例えば、上記のような５ページからなる原稿データにおいて４ページ目が優先印刷ページとして指定された場合、印刷制御部２０３は、図３に示すように、４→１→２→３のページ順で印刷した後、合紙Ｐを挿入し、その後、５ページ目を印刷するよう制御する。
【００４９】
複数部数を部単位で印刷する場合、印刷制御部２０３は、優先印刷ページである４ページ目を設定部数だけ印刷した後、他のページの印刷および合紙Ｐの挿入を設定部数分だけ繰り返し行うよう制御する。この結果、まず４ページ目の印刷物が設定部数だけ得られ、その後、１→２→３→合紙Ｐ→５の順で積載された印刷物が設定部数だけ得られる。
【００５０】
このように印刷を行うことで、例えば、会議の複数の出席者にまず４ページ目の印刷物を配布して説明等に使用し、その後、残りのページの印刷が完了したら、合紙Ｐが挿入されている残りのページの印刷物を出席者に配布するというような印刷物の利用の仕方ができる。出席者は、合紙Ｐと優先印刷された４ページ目の印刷物とを入れ換えることで、本来のページ順に並んだ印刷物を容易に得ることができる。
【００５１】
上述した図３の例では、優先印刷ページの数が１ページのみであったが、優先印刷ページが複数であってもよい。例えば５ページからなる原稿データにおいて２ページ目と４ページ目とが優先印刷ページとして指定された場合、画像処理部２０２は、２→４→１→３→５というページ順に組み換える。そして、印刷制御部２０３は、２→４のページ順で設定部数だけ印刷した後、１ページ目の印刷→合紙Ｐの挿入→３ページ目の印刷→合紙Ｐの挿入→５ページ目の印刷、の順の印刷および合紙Ｐの挿入を、設定部数分だけ繰り返し行うよう各部を制御する。
【００５２】
複数の優先印刷ページが連続するページである場合、それらの優先印刷ページに対応して挿入する合紙Ｐは１枚だけとしてもよい。
【００５３】
なお、原稿データにおける複数のページ（論理ページ）を、印刷用紙のページ対応した物理ページの１ページに集約配置して印刷する、いわゆるＮアップ（Ｎ ｉｎ １）印刷機能の使用が設定されている場合において、優先印刷機能の使用が設定され優先印刷ページが指定された場合、画像処理部２０２は、Ｎアップの面付け処理によりそれぞれＮページの論理ページが面付けされた物理ページについて、ページ順の組み換え処理を行う。
【００５４】
この場合、画像処理部２０２は、優先印刷ページとして指定された論理ページを含んでいる物理ページから優先的に印刷するよう物理ページの印刷順を組み換える。この組み換え結果に基づいて、印刷制御部２０３は、印刷および合紙Ｐの挿入を行うよう各部を制御する。
【００５５】
次に、印刷装置２のコピー機能により印刷を行う際に優先印刷を行う場合について説明する。
【００５６】
印刷装置２では、原稿のコピーを行う際に操作パネル部２５から、印刷部数、出力用紙サイズ等の各種の設定項目とともに、優先印刷を行うことを原稿の読み取り前に設定可能となっている。優先印刷を行うことが設定された場合、原稿読取部２１が原稿を読み取った後、印刷条件設定部２０１は、原稿から優先印刷ページをユーザに指定させるための指定画面を操作パネル部２５のタッチパネルに表示させ、ユーザ操作による優先印刷ページの指定を受け付ける。
【００５７】
優先印刷ページが指定されると、画像処理部２０２は、印刷対象のデータ（印刷データ）である、原稿読取部２１で得られた原稿データに対して色変換処理、スクリーニング処理等の画像処理を行うとともに、指定された優先印刷ページが優先的に印刷されるように原稿データにおけるページ順を組み換える処理を行う。
【００５８】
そして、印刷制御部２０３は、組み換えられたページ順で印刷を行うよう印刷部２２を制御する。この際、印刷制御部２０３は、前述したプリンタ機能による優先印刷の場合と同様に、優先印刷ページの本来のページの位置に合紙を挿入するよう各部を制御する。
【００５９】
上述したプリンタ機能およびコピー機能における優先印刷において、合紙Ｐには、合紙であることを示す識別情報や、当該合紙に対応する優先印刷ページのページ番号等の、優先印刷ページに関する情報を印刷部２２により印刷するようにしてもよい。特に、複数の優先印刷ページが指定された場合は、当該合紙に対応する優先印刷ページのページ番号等を印刷することでユーザの利便性を向上することができる。
【００６０】
このような合紙への印刷を行うか否かをユーザが選択できるようにしてもよい。印刷枚数に応じて課金を行う印刷装置では、合紙への印刷を行わないことを選択することで印刷にかかる費用の上昇を抑えることができる。
【００６１】
また、印刷装置２における現在のインク残量では、合紙への印刷を行うことでインクが不足する場合には、表示部１１または操作パネル部２５のタッチパネルにその旨を表示し、合紙への印刷を行うか否かをユーザが選択できるようにしてもよい。
【００６２】
本実施の形態の優先印刷機能を用いて複数部数を部単位で印刷する場合、設定部数および優先印刷ページの数によっては、合紙として使用する用紙が多量になることがある。例えば、設定部数が５０部で、優先印刷ページとして１０ページが指定された場合、１部あたり１０枚の合紙が使用され、合計では５００枚の用紙が合紙として使用されることになる。
【００６３】
そこで、印刷装置２における現在の用紙残量では、優先印刷を行って合紙を挿入することで用紙が不足して優先印刷の動作を完了できない場合には、表示部１１または操作パネル部２５のタッチパネルにその旨を表示し、優先印刷を行うか否かをユーザが選択できるようにしてもよい。また、ユーザが優先印刷ページを変更して優先印刷ページの数を減らすことができるようにしてもよい。
【００６４】
なお、優先印刷時の印刷物の出力形態は、上述のような合紙を挿入する形態に限らず、ページ順の組み換え前における優先印刷ページに該優先印刷ページが存在することをユーザが識別できる出力態様であればどのような形態でもよい。
【００６５】
例えば、ページ順の組み換え前における本来の優先印刷ページのページ位置の前後で用紙の排紙位置をずらすオフセット排紙を排出部２４により行うようにしてもよい。この場合、オフセット排紙による印刷物の区切りの位置により、ユーザは、本来の優先印刷ページのページ位置を容易に把握できる。
【００６６】
また、印刷装置２における用紙残量を示す情報を用いて、印刷制御部２０３が、合紙の挿入およびオフセット排紙のうちのいずれかを選択して実行するようにしてもよい。
【００６７】
例えば、優先印刷対象の原稿データにおける総ページ数、設定部数、優先印刷ページの数から、現在の用紙残量では、優先印刷を行って合紙を挿入することで用紙が不足して優先印刷の動作を完了できない場合には、印刷制御部２０３は、優先印刷時において上述のオフセット排紙を行うように排出部２４を制御する。合紙を挿入しても印刷動作を完了できる場合は、印刷制御部２０３は、前述した優先印刷における合紙の挿入を行うように各部を制御する。このようにすることで、優先印刷の動作の途中での用紙切れの発生を抑制することができる。
【００６８】
また、優先印刷の実行時に、印刷装置２が次ジョブをすでに受け付けている場合は、そのジョブの印刷に要する用紙枚数を現在の用紙残量から差し引いた枚数でも、合紙を挿入する優先印刷動作を完了できる場合に、合紙の挿入を選択し、完了できない場合はオフセット排紙とするようにしてもよい。
【００６９】
以上説明したように本実施の形態によれば、指定された優先印刷ページを優先的に印刷するために印刷のページ順を組み換え、組み換えられたページ順に基づいて印刷を行うとともに、ページ順の組み換え前における本来の優先印刷ページのページ位置をユーザが識別できる出力態様とすることで、優先印刷を行った場合に本来のページ順に並んだ印刷物を得るためのユーザの手間を軽減することができる。
【符号の説明】
【００７０】
１  印刷制御装置
２  印刷装置
１０  プリンタドライバ部
１１  表示部
１２  操作入力部
１３  通信部
１０１  印刷条件設定部
１０２  印刷データ生成部
１０３  表示制御部
２０  制御部
２１  原稿読取部
２２  印刷部
２３  給紙部
２４  排出部
２５  操作パネル部
２６  通信部
２０１  印刷条件設定部
２０２  画像処理部
２０３  印刷制御部
Ｐ  合紙
【図１】
2011180808.tif 000003
【図２】
2011180808.tif 000004
【図３】
2011180808.tif 000005